(57)【要約】【課題】  複数の検査にまたがってＸ線撮影を行う際に、Ｘ線撮影ユニットの切替え回数を減らして、効率的な検査を実施できるようにする。【解決手段】  Ｘ線を使用した撮影を行う複数のＸ線撮影ユニット（カセッテ１１６−Ａ及び１１６−Ｂ）を用いて、被写体１０００の撮影を行う際に、Ｘ線撮影制御部１１１では、複数の撮影オーダからなる検査情報を取得し、取得した検査情報の内容に基づいて撮影オーダごとに１つのＸ線撮影ユニットを対応付けて検査情報を保持する。そして、Ｘ線撮影制御部１１１は、複数のＸ線撮影ユニットのうち、撮影可能な状態の１つのＸ線撮影ユニット（カセッテ１１６−Ａ）の情報をステータスとして取得し、取得したステータスに応じて、保持されている検査情報の撮影オーダにおける撮影順序を変更する。【選択図】  図１
2010110433.tif 000002
【特許請求の範囲】
【請求項１】
放射線を使用した撮影を行う複数の放射線撮影ユニットを用いて、被写体の撮影を行う放射線撮影システムであって、
複数の撮影オーダからなる検査情報を取得する検査情報取得手段と、
前記検査情報取得手段で取得した検査情報の内容に基づいて前記撮影オーダごとに１つの前記放射線撮影ユニットを対応付けて前記検査情報を保持する保持手段と、
前記複数の放射線撮影ユニットのうち、撮影可能な状態の１つの放射線撮影ユニットの情報をステータスとして取得するステータス取得手段と、
前記ステータス取得手段で取得したステータスに応じて、前記保持手段により保持されている検査情報の前記撮影オーダにおける撮影順序を変更する撮影順序変更手段と
を有することを特徴とする放射線撮影システム。
【請求項２】
前記撮影順序変更手段は、現在の前記ステータスに係る放射線撮影ユニットで撮影可能な前記撮影オーダを優先して撮影するように前記撮影順序を変更することを特徴とする請求項１に記載の放射線撮影システム。
【請求項３】
前記複数の放射線撮影ユニットは、当該複数の放射線撮影ユニットに対応する複数の放射線撮影部と、前記複数の放射線撮影部のうちの１つの放射線撮影部を前記撮影可能な状態とするための接続を行う接続部とを有して構成され、
前記ステータス取得手段は、前記接続部により接続された前記１つの放射線撮影部を検知して、当該１つの放射線撮影部に係る前記１つの放射線撮影ユニットの情報を前記ステータスとして取得することを特徴とする請求項１または２に記載の放射線撮影システム。
【請求項４】
前記複数の放射線撮影ユニットは、放射線を使用した撮影を行う放射線撮影部と、撮影姿勢の異なる複数の撮影台に設けられ、前記放射線撮影部の装着を行うための複数の装着部とを有して構成され、
前記ステータス取得手段は、前記複数の装着部のうち、前記放射線撮影部が装着された１つの装着部を検知して、当該１つの装着部に係る前記１つの放射線撮影ユニットの情報を前記ステータスとして取得することを特徴とする請求項１または２に記載の放射線撮影システム。
【請求項５】
前記複数の放射線撮影ユニットは、当該複数の放射線撮影ユニットに対応する複数の放射線撮影部と、前記複数の放射線撮影部のうちの１つの放射線撮影部に放射線を発生させる放射線発生部とを有して構成され、
前記ステータス取得手段は、前記放射線発生部から放射線を発生させる前記１つの放射線撮影部を検知して、当該１つの放射線撮影部に係る前記１つの放射線撮影ユニットの情報を前記ステータスとして取得することを特徴とする請求項１または２に記載の放射線撮影システム。
【請求項６】
前記撮影順序変更手段で前記撮影オーダの撮影順序が変更された検査情報を表示部に表示する表示手段と、
前記表示部に表示された検査情報に基づき前記複数の放射線撮影ユニットを用いて被写体の撮影処理を行う撮影処理手段と
を更に有することを特徴とする請求項１乃至５のいずれか１項に記載の放射線撮影システム。
【請求項７】
放射線を使用した撮影を行う複数の放射線撮影ユニットを用いて、被写体の撮影を行う放射線撮影システムの制御方法であって、
複数の撮影オーダからなる検査情報を取得する検査情報取得ステップと、
前記検査情報取得ステップで取得した検査情報の内容に基づいて前記撮影オーダごとに１つの前記放射線撮影ユニットを対応付けて前記検査情報を保持する保持ステップと、
前記複数の放射線撮影ユニットのうち、撮影可能な状態の１つの放射線撮影ユニットの情報をステータスとして取得するステータス取得ステップと、
前記ステータス取得ステップで取得したステータスに応じて、前記保持ステップにより保持されている検査情報の前記撮影オーダにおける撮影順序を変更する撮影順序変更ステップと
を有することを特徴とする放射線撮影システムの制御方法。
【発明の詳細な説明】
【技術分野】
【０００１】
本発明は、放射線を使用した撮影を行う複数の放射線撮影ユニットを用いて、被写体の撮影を行う放射線撮影システム及びその制御方法に関する。なお、本明細書では、Ｘ線、γ線などの電磁波やα線、β線も放射線に含めるものとする。
【背景技術】
【０００２】
従来、医療分野における放射線画像、特に、Ｘ線を使用したＸ線画像の撮影では、被写体にＸ線を照射し、透過したＸ線の強度を検出することにより、Ｘ線画像の撮影が可能である。近年では、透過したＸ線を電気信号に変換してデジタルデータとしてＸ線画像を得るＸ線撮影システムが多く用いられるようになっている。
【０００３】
一般に、病院内では、ネットワークが構築されており、このネットワークに各種の医療装置が接続され、病院情報システム（ＨＩＳ）、放射線情報システム（ＲＩＳ）、医用画像サーバ等と連携している。
【０００４】
Ｘ線撮影システム（Ｘ線撮影装置）は、Ｘ線を放射するＸ線発生部、Ｘ線を検出してＸ線画像を形成するＸ線撮影部、これらを制御する制御部、操作者からの入力を受け付ける入力部、検査情報及び撮影画像情報を表示する表示部を有して構成される。
【０００５】
ここで、Ｘ線撮影部としては、立位専用、臥位専用などの撮影姿勢に応じたタイプのものや、持ち運びのできるカセッテタイプのものがある。一般的には、撮影部位や患者の状態に応じてこれらのＸ線撮影部は使い分けられている。
【０００６】
通常、Ｘ線撮影システム（Ｘ線撮影装置）では、ＲＩＳからの検査依頼に応じて撮影が行われる。Ｘ線撮影システムはＲＩＳから検査情報を取得する。この検査情報には、例えば、患者のＩＤ、氏名などの患者情報とともに、撮影部位、撮影姿勢、撮影方向などの撮影オーダの情報が複数含まれる。そして、Ｘ線画像システムでは、各撮影オーダの情報をもとに撮影に使用するＸ線撮影部を割り当てる。
【０００７】
そして、この場合、ＲＩＳからの検査依頼に係る検査情報に基づいて検査を実施すると、異なるＸ線撮影部に割り当てられた撮影が連続する場合が考えられる。この場合、操作者は、その都度、Ｘ線撮影部の切替え、患者の移動、Ｘ線撮影部のセッティング等の撮影準備をやり直さなければならず非常に面倒である上、被写体が高齢者や体を自由に動かすことのできない患者である場合には移動が大きな負担となっていた。そして、この場合、操作者が検査依頼を確認し、予め撮影順序を変更して検査を開始することで患者の負担を減らせるが、撮影順序の変更に手間がかかり、患者を待たせてしまうことが懸念される。
【０００８】
これに対して、従来、Ｘ線撮影部の切替え回数を最小にするように撮影オーダを並び替える方法が提案されている（例えば、特許文献１参照）。
【０００９】
具体的に、特許文献１の方法は、同一のＸ線撮影部で連続撮影でき、かつ事前に登録したＸ線撮影部の使用順序でＸ線撮影部を切替えるようにして、患者の撮影を行うようにしたものである。例えば、一般撮影室で、立位、臥位、カセッテの順で使用順序を登録したとすると、操作者は、一般撮影室に一人目の患者を招きいれ、立位、臥位、カセッテの順序で誘導すればよい。２人目以降の患者についても同様の手順で撮影を行って、Ｘ線撮影部の切替え回数が少ないスムーズな検査を実施できる。この方法は、一般撮影室での撮影ワークフローを確立でき、大きな効果がある。
【００１０】
【特許文献１】特開２００３−２９０２００号公報
【発明の開示】
【発明が解決しようとする課題】
【００１１】
近年では、移動可能な放射線撮影装置（以下、「モバイル放射線撮影装置」と称する）を使用して、例えば一般病棟の病室などＸ線撮影室以外の場所での撮影も行われている。また、病室の他にも、手術室、救急救命室、集中治療室などで上記のモバイル放射線撮影装置が用いられるようになっている。
【００１２】
一般に、モバイル放射線撮影装置では、可搬性に優れたカセッテタイプの放射線撮影部（Ｘ線撮影部）が用いられる。このモバイル放射線撮影装置では、内部のバッテリで駆動するため、バッテリ持ちの問題から接続可能なＸ線撮影部は１台である。例えば、Ｘ線撮影部として、大判タイプと高解像度タイプのように複数のカセッテを必要とする検査を実施する際には、それぞれのカセッテが接続されたモバイル放射線撮影装置を患者の元へ運んで撮影を行わなければならなかった。
【００１３】
このような問題に対して、モバイル放射線撮影装置とカセッテとの接続部が着脱可能なモバイル放射線撮影システムが提案されている。この場合、複数タイプのＸ線撮影部が接続可能なため、１台のモバイル放射線撮影装置で上記の様な撮影が実施できるというメリットがある。このモバイル放射線撮影システムでは、２人目の患者の検査の開始時に接続されているカセッテは、１人目の患者の検査の最後に使用されたカセッテとなっている。
【００１４】
この場合、特許文献１の方法においては、このカセッテは、予め登録された優先順位が低いカセッテであることが大半である。一方で、特許文献１の方法においては、２人目の患者の撮影順序は優先順位に従って変更されるため、２人目の患者の最初（１件目）の撮影に用いるカセッテは優先順位が高いものとなる。従って、特許文献１の方法では、多くの検査において、１件目を撮影するために、カセッテの交換等の作業が必要となってしまう。このカセッテの交換等の作業は、画面の操作やコネクタの抜き差し等の作業が伴い、操作者にとって手間のかかる作業である。
【００１５】
本発明は、このような問題点に鑑みてなされたものであり、複数の検査にまたがって放射線撮影を行う際に、放射線撮影ユニットの切替え回数を減らして、効率的な検査を実施することを実現する放射線撮影システム及びその制御方法を提供することを目的とする。
【課題を解決するための手段】
【００１６】
本発明の放射線撮影システムは、放射線を使用した撮影を行う複数の放射線撮影ユニットを用いて、被写体の撮影を行う放射線撮影システムであって、複数の撮影オーダからなる検査情報を取得する検査情報取得手段と、前記検査情報取得手段で取得した検査情報の内容に基づいて前記撮影オーダごとに１つの前記放射線撮影ユニットを対応付けて前記検査情報を保持する保持手段と、前記複数の放射線撮影ユニットのうち、撮影可能な状態の１つの放射線撮影ユニットの情報をステータスとして取得するステータス取得手段と、前記ステータス取得手段で取得したステータスに応じて、前記保持手段により保持されている検査情報の前記撮影オーダにおける撮影順序を変更する撮影順序変更手段とを有する。
【００１７】
本発明の放射線撮影システムの制御方法は、放射線を使用した撮影を行う複数の放射線撮影ユニットを用いて、被写体の撮影を行う放射線撮影システムの制御方法であって、複数の撮影オーダからなる検査情報を取得する検査情報取得ステップと、前記検査情報取得ステップで取得した検査情報の内容に基づいて前記撮影オーダごとに１つの前記放射線撮影ユニットを対応付けて前記検査情報を保持する保持ステップと、前記複数の放射線撮影ユニットのうち、撮影可能な状態の１つの放射線撮影ユニットの情報をステータスとして取得するステータス取得ステップと、前記ステータス取得ステップで取得したステータスに応じて、前記保持ステップにより保持されている検査情報の前記撮影オーダにおける撮影順序を変更する撮影順序変更ステップとを有する。
【発明の効果】
【００１８】
本発明によれば、複数の検査にまたがって放射線撮影を行う際に、放射線撮影ユニットの切替え回数を減らして、効率的な検査を実施することができる。
【発明を実施するための最良の形態】
【００１９】
以下、図面を参照しながら、本発明を実施するための最良の形態（実施形態）について説明する。なお、以下に示す説明においては、放射線としてＸ線を適用した例を示すが、本発明においてはこれに限定されず、例えば、放射線として、γ線などの電磁波やα線、β線なども含まれるものとして記載する。
【００２０】
（第１の実施形態）
まず、本発明の第１の実施形態について説明する。
図１は、本発明の第１の実施形態に係るＸ線撮影システム（放射線撮影システム）１００の概略構成の一例を示す模式図である。
【００２１】
Ｘ線撮影システム１００は、Ｘ線撮影装置（放射線撮影装置）１１０と、ネットワーク１２０と、放射線部門内情報システム（ＲＩＳ）１３０と、画像サーバ（ＰＡＣＳ）１４０と、院内情報システム（ＨＩＳ）１５０を有して構成されている。
【００２２】
Ｘ線撮影装置１１０は、移動可能な放射線撮影装置、いわゆる、モバイル放射線撮影装置である。このＸ線撮影装置１１０は、Ｘ線撮影制御部（放射線撮影制御部）１１１、モニタ１１２、キーボード１１３、Ｘ線発生部（放射線発生部）１１４、及び、Ｘ線発生制御部（放射線発生制御部）１１５を有して構成されている。さらに、Ｘ線撮影装置１１０は、カセッテ１１６−Ａ及び１１６−Ｂ、データケーブル１１７及びコネクタ１１８、並びに、ネットワークソケット１１９を有している。
【００２３】
まず、Ｘ線撮影制御部１１１について説明する。
Ｘ線撮影制御部１１１は、Ｘ線撮影装置１１０の動作を統括的に制御するものである。
図２は、本発明の第１の実施形態を示し、図１に示すＸ線撮影制御部（放射線撮影制御部）１１１の内部のハードウェア構成の一例を示す模式図である。
【００２４】
図２に示すように、Ｘ線撮影制御部１１１は、ＣＰＵ２０１、ＲＡＭ２０２、ＲＯＭ２０３、外部メモリ２０４、通信Ｉ／Ｆ部２０５、及び、バスを有して構成されている。
【００２５】
ＣＰＵ２０１は、当該Ｘ線撮影制御部１１１における動作を統括的に制御するものであり、バスを介して、図２に示す各構成部（２０２〜２０５）を制御する。
【００２６】
ＲＡＭ２０２は、ＣＰＵ２０１の主メモリ、ワークエリア等として機能する。ＣＰＵ２０１は、処理の実行に際して、ＲＯＭ２０３から必要なプログラム２０３１等をＲＡＭ２０２にロードし、当該プログラム２０３１等を実行することで各種の機能動作を実現する。
【００２７】
ＲＯＭ２０３には、ＣＰＵ２０１が処理を実行するために必要なプログラム２０３１等が記憶されている。なお、プログラム２０３１は、外部メモリ２０４に記憶されていてもよい。
【００２８】
外部メモリ２０４には、例えば、ＣＰＵ２０１がプログラム２０３１等を用いた処理を行う際に必要な各種のデータや各種の情報等が記憶されている。また、外部メモリ２０４には、例えば、ＣＰＵ２０１がプログラム２０３１等を用いた処理を行うことにより得られた各種のデータや各種の情報等が記憶される。
【００２９】
通信Ｉ／Ｆ部２０５は、外部との通信を司るものである。バスは、ＣＰＵ２０１と、ＲＡＭ２０２、ＲＯＭ２０３、外部メモリ２０４及び通信Ｉ／Ｆ部２０５を通信可能に接続するためのものである。
【００３０】
ここで、再び、図１の説明に戻る。
モニタ１１２は、撮影したＸ線画像（放射線画像）や、各種の情報を表示する表示部を構成する。本実施形態では、モニタ１１２は、タッチパネルモニタとなっており、このモニタ１１２とキーボード１１３から操作者からの入力情報を受け付ける。
【００３１】
Ｘ線発生部１１４は、Ｘ線を発生させるＸ線管球を具備し、被写体である患者１０００にＸ線を照射する。Ｘ線発生制御部１１５は、Ｘ線撮影制御部１１１からの指示に基づきＸ線発生部１１４を制御して、Ｘ線発生部１１４から発生させるＸ線の制御を行う。
【００３２】
カセッテ１１６は、被写体である患者１０００を透過したＸ線に基づく患者１０００のＸ線画像の撮影を行うＸ線撮影部（放射線撮影部）を構成するものであり、図１に示す例では、カセッテ１１６−Ａ及びカセッテ１１６−Ｂの２つのカセッテが示されている。本実施形態においては、カセッテ１１６−Ａが大判タイプのカセッテであり、カセッテ１１６−Ｂが高解像度タイプのカセッテである。
【００３３】
大判タイプのカセッテ１１６−Ａは、撮影可能サイズが、高解像度タイプのカセッテ１１６−Ｂよりも大きく、主に、患者１０００の胸部及び腹部の撮影に用いられる。高解像度タイプのカセッテ１１６−Ｂは、大判タイプのカセッテ１１６−Ａよりも撮影可能な撮影領域は狭いが、高解像度のＸ線画像を得ることができる。特に、この高解像度タイプのカセッテ１１６−Ｂは、患者１０００が小児である場合、その胸部の撮影の際に用いれば、高解像度のＸ線画像が診断に大変有効である。
【００３４】
各カセッテ１１６は、電源、画像転送及び制御信号用のデータケーブル１１７及びコネクタ（接続部）１１８を介して、Ｘ線撮影制御部１１１と接続される。本実施形態では、Ｘ線撮影制御部１１１に接続可能なカセッテ１１６は１つであり、図１に示す例では、カセッテ１１６−Ａが、接続部であるコネクタ１１８、及びデータケーブル１１７を介して接続された例を示している。また、Ｘ線撮影制御部１１１に接続していないカセッテ１１６−Ｂは、Ｘ線撮影装置１１０の内部に収納されている。即ち、本実施形態のＸ線撮影装置１１０は、カセッテ１１６の着脱が可能に構成されている。なお、図１は、一例であり、例えば、カセッテ１１６−Ｂがコネクタ１１８及びデータケーブル１１７を介して接続され、カセッテ１１６−ＡがＸ線撮影装置１１０の内部に収納されている態様であってもよい。
【００３５】
第１の実施形態では、各カセッテ１１６と、データケーブル１１７及びコネクタ１１８とを含む構成をＸ線撮影ユニット（放射線撮影ユニット）と称する。即ち、図１のＸ線撮影システム１００では、カセッテ１１６−Ａとデータケーブル１１７及びコネクタ１１８とを含むＸ線撮影ユニットと、カセッテ１１６−Ｂとデータケーブル１１７及びコネクタ１１８とを含むＸ線撮影ユニットの２つが構成され得る。なお、図１に示す例では、２つのＸ線撮影ユニットが構成され得る例を示しているが、更に他のカセッテを用意して３つ以上の複数のＸ線撮影ユニットを構成する態様も本実施形態に適用可能である。
【００３６】
また、Ｘ線撮影制御部１１１は、接続されている撮影可能な状態のＸ線撮影ユニット（本例では、カセッテ１１６）の情報をＸ線撮影システム１００のステータスとして、例えば外部メモリ２０４に保持している。また、Ｘ線撮影制御部１１１には、あらかじめ、接続されるカセッテ１１６のカセッテ情報が例えば外部メモリ２０４に登録されている。このカセッテ情報には、シリアル番号、蛍光体の種類、撮影サイズ、解像度等の情報が含まれる。
【００３７】
また、Ｘ線撮影制御部１１１は、ネットワークソケット１１９及びネットワーク１２０を介して、ＲＩＳ１３０、ＰＡＣＳ１４０及びＨＩＳ１５０と接続する。また、Ｘ線撮影制御部１１１は、ＲＩＳ１３０から検査情報を受信して、これを例えば外部メモリ２０４に保持し、操作者からの入力に従って、コネクタ１１８に接続されたカセッテ１１６及びＸ線発生制御部１１５を制御する。
【００３８】
次に、病室の回診検査を例に、モバイル放射線撮影装置であるＸ線撮影装置１１０の動作について説明する。
【００３９】
まず、Ｘ線撮影装置１１０は、ネットワーク１２０に接続されたＲＩＳ１３０から実施する検査の検査情報を取得する。この検査情報には、複数の撮影オーダが含まれており、撮影オーダごとに、検査ＩＤ、患者ＩＤ、撮影部位、撮影方向、撮影サイズ、解像度等の情報が含まれる。そして、Ｘ線撮影制御部１１１は、これらの情報（検査情報）の内容に基づいて、適切な１つのＸ線撮影ユニットを撮影オーダに対応づけ、検査情報管理テーブルとして例えば外部メモリ２０４に保存する。
【００４０】
図３は、本発明の第１の実施形態を示し、図１に示すＸ線撮影装置（放射線撮影装置）１１０で取得した検査情報に基づく検査情報管理テーブルの一例を示す模式図である。
この検査情報管理テーブルには、撮影オーダごとに、検査ＩＤ、患者ＩＤ、撮影部位、撮影方向、撮影サイズ、解像度等の検査情報、撮影オーダに対応づけられたＸ線撮影ユニットの情報、及び、撮影状況の情報が示されている。
【００４１】
具体的に、図３に示す例では、検査情報のうちの撮影サイズ及び解像度の情報を考慮して、カセッテ情報に含まれる撮影サイズ及び解像度の情報を参照することにより、撮影オーダごとに、Ｘ線撮影ユニットを対応させた例が示されている。より詳細に、図３に示す例では、解像度が高解像度である場合には、Ｘ線撮影ユニットとして、高解像度タイプのカセッテ１１６−Ｂに係るユニットが設定されている。また、撮影サイズが大きい１７×１７の場合には、大判タイプのカセッテ１１６−Ａに係るＸ線撮影ユニットが設定され、撮影サイズが１１×１４、１４×１４の場合には、高解像度タイプのカセッテ１１６−Ｂに係るＸ線撮影ユニットが設定されている。また、図３に示す検査情報管理テーブルでは、現時点では、各撮影オーダにおける撮影が行われていないため、撮影状況の情報が未撮影となっている。
【００４２】
検査情報を取得し、回診撮影に出発する準備が整ったら、操作者は、モバイル放射線撮影装置であるＸ線撮影装置１１０をネットワーク１２０から切断し、検査を実施する患者１０００のいる病室へと移動する。
【００４３】
図４は、本発明の第１の実施形態を示し、図１に示すモニタ１１２に検査を行う際に表示される検査選択画面の一例を示す模式図である。ＲＩＳ１３０から取得した検査情報は、検査単位で予約検査リスト４０３に表示される。予約検査リスト４０３の中から、１つの検査が選択されると、選択された予約検査リスト４０３の検査の検査ＩＤ、患者ＩＤ、患者名、性別、生年月日等の患者情報が検査・患者情報表示欄４０１に表示される。ここで、この患者情報は、検査情報管理テーブルに反映されない情報も含まれるが、検査情報の一部として予め取得された情報である。また、検査選択画面には、メッセージ表示欄４０２も設けられている。
【００４４】
そして、図４に示す検査選択画面に表示される予約検査リスト４０３の中から操作者が実施する検査を選択してＯＫボタン４０４を押下すると、Ｘ線撮影装置１１０は、検査に基づくＸ線撮影処理を開始する。
【００４５】
図５は、本発明の第１の実施形態を示し、図１に示すモニタ１１２に表示される検査中の撮影画面の一例を示す模式図である。
図５に示す撮影画面には、図４に示す検査選択画面で選択された検査の検査ＩＤ、患者ＩＤ、患者名、性別、生年月日等の検査・患者情報が検査・患者情報表示欄５０１に表示される。また、撮影方法ボタン表示欄５１０には、図３に示す検査管理テーブルの撮影部位及び撮影方向の情報に基づいて、予約された撮影オーダの撮影順序の通りに、それぞれの撮影部位及び撮影方向に基づく撮影方法に対応する撮影方法ボタン５１１が並んで表示される。
【００４６】
また、図５に示す撮影画面には、必要に応じて、メッセージがメッセージ表示欄５０２に表示され、撮影条件が撮影条件表示欄５０３に表示され、患者１０００の撮影画像が撮影画像表示欄５０４に表示される。また、図５に示す撮影画面には、カセッテ１１６の交換時に操作される切断ボタン５０５及び接続ボタン５０６が設けられている。また、図５に示す撮影画面には、接続されているカセッテ１１６を示すカセッテ表示欄５０７が表示され、検査終了ボタン５０８が設けられている。
【００４７】
ここで、操作者が、図１に示すように、大判タイプのカセッテ１１６−Ａをコネクタ１１８に接続したとする。操作者が、カセッテ１１６−Ａをコネクタ１１８に接続して電源を入れ、図５の撮影画面の接続ボタン５０６を押下すると、Ｘ線撮影制御部１１１は、カセッテ１１６−Ａの接続を検知し、外部メモリ２０４から、カセッテ１１６−Ａに係るカセッテ情報を取得する。
【００４８】
接続したカセッテ１１６−Ａが正しく認識されると、Ｘ線撮影制御部１１１は、カセッテ１１６−Ａの接続をステータスに反映する。ステータスが更新されると、Ｘ線撮影制御部１１１は、現在のステータスで撮影可能な撮影オーダを、検査情報管理テーブルから検索する。そして、Ｘ線撮影制御部１１１は、該当した撮影オーダを、検査情報管理テーブルの先頭へと繰り上げて、撮影順序の変更を行う。この様子を図６を用いて説明する。
【００４９】
図６は、本発明の第１の実施形態を示し、撮影順序が変更された検査情報管理テーブルの一例を示す模式図である。なお、図６には、図３に示す検査情報管理テーブルのうち、１人目の患者（患者ＩＤ：１０１０１０）についてのみ示している。
【００５０】
図６に示すように、撮影順序が変更された検査情報管理テーブルでは、接続されたカセッテ１１６−Ａに係るＸ線撮影ユニットＡの撮影オーダが、検査情報管理テーブルの先頭へと繰り上げられている。即ち、撮影順序が変更された検査情報管理テーブルでは、各Ｘ線撮影ユニットにおける撮影オーダが連続するように、撮影順序が変更されている。
【００５１】
また、検査情報管理テーブルの撮影順序が変更されると、それに従って、図５に示す撮影方法ボタン表示欄５１０の表示が更新される。
【００５２】
図７は、本発明の第１の実施形態を示し、図５に示す撮影画面の更新後の一例を示す模式図である。
図７に示すように、接続したカセッテ１１６−Ａを示す情報がカセッテ表示欄５０７に表示され、また、変更された検査情報管理テーブルの撮影オーダの撮影順序が、撮影方法ボタン表示欄５１０に反映されている。また、この撮影方法ボタン表示欄５１０では、有効なＸ線撮影ユニット（カセッテ１１６−Ａ）で撮影可能な撮影方法ボタンは、撮影不可能な撮影方法ボタンと区別して表示される。具体的に、図７に示す例では、撮影可能な撮影方法ボタンが太枠で示され、撮影不可能な撮影方法ボタンと区別して表示されている。
【００５３】
図７に示す例では、Ｘ線撮影システム１００は撮影可能状態に遷移しており、撮影順序が１番目の撮影方法ボタン５１１が押下された様子を示している。この際、操作者は、患者１０００の撮影部位を確認して撮影のセッティングを行っており、また、撮影部位に対して設定されたＸ線発生部１１４に係る撮影条件が撮影条件表示欄５０３に表示され、当該撮影条件の情報がＸ線発生制御部１１５に送信される。ここで、Ｘ線発生部１１４に係る撮影条件としては、Ｘ線管球の管電圧及び管電流、Ｘ線の照射時間等である。
【００５４】
以上のセッティングが完了し、操作者がＸ線曝射スイッチ（不図示）を押下すると、Ｘ線撮影制御部１１１は、患者１０００のＸ線画像を撮影処理を行う。そして、撮影されたＸ線画像は、撮影画像表示欄５０４に表示される。同様の手順で、２枚目以降のＸ線画像の撮影が行われる。
【００５５】
その後、カセッテ１１６−Ａでの撮影が全て終了すると、撮影画面は、撮影方法ボタン５１１が押下されていない状態となり、例えば、「カセッテを交換してください」のように、カセッテの交換を促すメッセージがメッセージ表示欄５０２に表示される。
【００５６】
その後、着脱可能なカセッテの交換時に、操作者から撮影画面の切断ボタン５０５が押下されると、Ｘ線撮影制御部１１１は、切断処理を開始する。そして、操作者は、カセッテ１１６−Ａ側の電源をＯＦＦにし、コネクタ１１８からカセッテ１１６−Ａを切り離して、Ｘ線撮影装置１１０のカセッテ収納部に収納する。このとき、Ｘ線撮影制御部１１１は、カセッテとの接続が切断されたことを検知し、ステータスを更新する。
【００５７】
その後、操作者が、高解像度タイプのカセッテ１１６−Ｂをコネクタ１１８に接続して電源をＯＮし、接続ボタン５０６を押下すると、Ｘ線撮影制御部１１１は、その接続を検知し、外部メモリ２０４から、カセッテ１１６−Ｂに係るカセッテ情報を取得する。この処理は、上述した大判タイプのカセッテ１１６−Ａを接続した場合と同様である。そして、接続したカセッテ１１６−Ｂが正しく認識されると、Ｘ線撮影制御部１１１は、カセッテ１１６−Ｂの接続をステータスに反映し、Ｘ線撮影システム１００のステータスが更新される。
【００５８】
続いて、Ｘ線撮影制御部１１１は、検査情報管理テーブルから、現在のステータス（即ち、現在のＸ線撮影ユニット（カセッテ１１６））で撮影可能な未撮影オーダを検索する。そして、Ｘ線撮影制御部１１１は、該当する未撮影オーダを、検査情報管理テーブルの未撮影オーダの先頭へと繰り上げて、撮影順序の変更を行う。
【００５９】
図８は、本発明の第１の実施形態を示し、変更された検査情報管理テーブルの一例を示す模式図である。
上述した処理によって、大判タイプのカセッテ１１６−Ａの接続時に順序変更された検査情報管理テーブル（図６）は、図８に示すように変更される。また、検査情報管理テーブルの撮影順序が変更されると、それに従って、撮影方法ボタン表示欄５１０の表示が更新され、撮影可能状態へと遷移する。図８に示す例では、未撮影オーダのＸ線撮影ユニットがＸ線撮影ユニットＢしか存在していないため、図６に対して撮影順序の変更は特にされずに、撮影状況のみが変更されている。
【００６０】
そして、操作者は、撮影画面上の撮影方法ボタン表示欄５１０の撮影順序に従って、カセッテ１１６−Ｂでの撮影を実施する。そして、全ての撮影を終えると、操作者は、撮影画面に表示された検査終了ボタン５０８を押下して１人目の患者１０００の検査を終了する。
【００６１】
次に、２人目の患者１０００の検査に移る。この場合、操作者は、モバイル放射線撮影装置であるＸ線撮影装置１１０を次の患者１０００の元へ移動し、図４に示す検査選択画面の予約検査リスト４０３から検査を選択し、当該２人目の患者１０００の検査を開始する。このときには、１人目の患者１０００の最後の撮影に用いた高解像度タイプのカセッテ１１６−ＢがＸ線撮影装置１１０に接続されている。従って、Ｘ線撮影制御部１１１が検査開始時に取得するステータスは、前の検査終了時と同じステータスである。このステータスに基づくため、検査管理テーブルは、高感度タイプのカセッテ１１６−Ｂでの撮影オーダが優先された撮影順序変更処理が実施される。そして、操作者は、変更された検査管理テーブルの撮影順序に従い、検査を実施する。
【００６２】
そして、予定された全ての患者１０００の検査を終えると、操作者は、放射線科に戻り、モバイル放射線撮影装置であるＸ線撮影装置１１０をネットワーク１２０に接続する。そして、Ｘ線撮影装置１１０がネットワーク１２０に接続されると、Ｘ線撮影制御部１１１は、撮影したＸ線画像（撮影画像）をＰＡＣＳ１４０へと転送して、回診撮影を終了する。
【００６３】
次に、回診撮影の処理手順についてフローチャートを用いて説明する。
図９は、本発明の第１の実施形態に係るＸ線撮影システム（放射線撮影システム）１００によるＸ線撮影方法の処理手順の一例を示すフローチャートである。この図９に示すフローチャートは、複数の患者１０００の検査開始から終了までの一連の動作が示されている。
【００６４】
まず、ステップＳ１０１において、Ｘ線撮影制御部１１１のＣＰＵ２０１は、ＲＩＳ１３０から、複数の撮影オーダからなる検査情報を取得する（検査情報取得ステップ）。そして、Ｘ線撮影制御部１１１のＣＰＵ２０１は、取得した検査情報の内容に基づいて撮影オーダごとに１つのＸ線撮影ユニットを対応付けて検査情報を検査情報管理テーブルとして保持する（保持ステップ）。
【００６５】
続いて、ステップＳ１０２において、Ｘ線撮影制御部１１１のＣＰＵ２０１は、図４に示す検査選択画面をモニタ１１２に表示し、操作者に、予約検査リスト４０３の中から検査を選択させ、選択された検査を開始する。
【００６６】
検査を開始すると、まず、ステップＳ１０３において、Ｘ線撮影制御部１１１のＣＰＵ２０１は、現在接続されているＸ線撮影ユニット（カセッテ１１６）の認識（検知）を行って、当該Ｘ線撮影ユニットの情報をステータスとして取得し、更新する。即ち、Ｘ線撮影制御部１１１のＣＰＵ２０１は、複数のＸ線撮影ユニットのうち、現在、撮影可能な状態の１つのＸ線撮影ユニットの情報をステータスとして取得し（ステータス取得ステップ）、更新を行う。本例では、大判タイプのカセッテ１１６−Ａが接続されたものとする。
【００６７】
続いて、ステップＳ１０４において、Ｘ線撮影制御部１１１のＣＰＵ２０１は、現在のステータス（即ち、現在接続されているＸ線撮影ユニット（カセッテ１１６））で撮影可能な未撮影オーダを検査情報管理テーブルから検索する。
【００６８】
続いて、ステップＳ１０５において、Ｘ線撮影制御部１１１のＣＰＵ２０１は、ステップＳ１０４の検索の結果、現在のステータスで撮影可能な未撮影オーダがあるか否かを判断する。
【００６９】
ステップＳ１０５の判断の結果、現在のステータスで撮影可能な未撮影オーダがある場合には、ステップＳ１０６に進む。ステップＳ１０６に進むと、Ｘ線撮影制御部１１１のＣＰＵ２０１は、ステップＳ１０３で取得したステータスに応じて、検査情報管理テーブルの撮影オーダにおける撮影順序を変更する（撮影順序変更ステップ）。より具体的に、Ｘ線撮影制御部１１１のＣＰＵ２０１は、ステップＳ１０４で検索した未撮影オーダが優先されるように、検査情報管理テーブルの撮影オーダの撮影順序を変更する処理を行う。本例では、現在、大判タイプのカセッテ１１６−Ａが接続されているため、例えば、図３に示す検査情報管理テーブルから図６に示す検査情報管理テーブルのように、撮影順序の変更が行われる。
【００７０】
続いて、ステップＳ１０７において、Ｘ線撮影制御部１１１のＣＰＵ２０１は、ステップＳ１０７で変更した撮影順序に基づいて、モニタ１１２に表示している撮影画面の更新処理を行い、操作者に撮影順序を示す。即ち、Ｘ線撮影制御部１１１のＣＰＵ２０１は、ステップＳ１０７で撮影オーダの撮影順序が変更された検査情報をモニタ１１２に表示する（表示ステップ）。本例では、例えば、図５に示す撮影画面の撮影方法ボタン表示欄５１０の撮影方法ボタンから、図７に示す撮影画面の撮影方法ボタン表示欄５１０の撮影方法ボタンのように、撮影順序の変更に基づくモニタ表示の更新処理が行われる。具体的に、図７に示す撮影方法ボタン表示欄５１０のように、「胸部正面」、「胸部側面」、「骨盤正面」、「腹部正面」のように、変更された撮影順序に従って撮影方法ボタン５１１を表示することで、操作者は検査対象の患者の撮影順序を把握することができる。
【００７１】
一方、ステップＳ１０５の判断の結果、現在のステータスで撮影可能な未撮影オーダがない場合には、ステップＳ１０８に進む。ステップＳ１０８に進むと、Ｘ線撮影制御部１１１のＣＰＵ２０１は、検査情報管理テーブルに未撮影オーダがあるか否かを判断する。この判断の結果、検査情報管理テーブルに未撮影オーダがない場合には、ステップＳ１１２に進む。
【００７２】
一方、ステップＳ１０８の判断の結果、検査情報管理テーブルに未撮影オーダがある場合には、ステップＳ１０９に進む。ステップＳ１０９に進むと、Ｘ線撮影制御部１１１のＣＰＵ２０１は、例えばモニタ１１２にステータスの変更指示に係る表示を行って、操作者にステータスの変更指示を行う。ここで言うステータスの変更指示とは、カセッテ１１６を切替えてステータスを変更する旨の指示である。
【００７３】
続いて、ステップＳ１１０において、Ｘ線撮影制御部１１１のＣＰＵ２０１は、ステータスの変更処理を行う。
【００７４】
ここで、このステップＳ１１０の処理の詳細について説明する。
図１０は、本発明の第１の実施形態を示し、図９に示すステップＳ１１０の詳細な処理手順の一例を示すフローチャートである。
【００７５】
まず、操作者がカセッテ１１６の交換を行うと、図１０のステップＳ２０１において、Ｘ線撮影制御部１１１のＣＰＵ２０１は、交換により接続されたカセッテ１１６（本例では、高解像度タイプのカセッテ１１６−Ｂ）の認識（検知）を行う。
【００７６】
続いて、ステップＳ２０２において、Ｘ線撮影制御部１１１のＣＰＵ２０１は、ステップＳ２０１の認識（検知）の結果に基づき、当該カセッテ１１６（Ｘ線撮影ユニット）の情報をステータスとして取得し、更新する。即ち、Ｘ線撮影制御部１１１のＣＰＵ２０１は、複数のＸ線撮影ユニットのうち、現在、撮影可能な状態の１つのＸ線撮影ユニットの情報をステータスとして取得し（ステータス取得ステップ）、更新を行う。
【００７７】
続いて、ステップＳ２０３において、Ｘ線撮影制御部１１１のＣＰＵ２０１は、検査情報管理テーブルの未撮影オーダの中から、現在のステータス（即ち、現在接続されているＸ線撮影ユニット（カセッテ１１６））で撮影可能なオーダを検索する。
【００７８】
続いて、ステップＳ２０４において、Ｘ線撮影制御部１１１のＣＰＵ２０１は、ステップＳ２０２で取得したステータスに応じて、検査情報管理テーブルの撮影オーダにおける撮影順序を変更する（撮影順序変更ステップ）。より具体的に、Ｘ線撮影制御部１１１のＣＰＵ２０１は、ステップＳ２０３で検索した撮影オーダが優先されるように、検査情報管理テーブルの撮影オーダの撮影順序を変更する処理を行う。本例では、未撮影オーダのうち、高解像度タイプのカセッテ１１６−Ｂで撮影する撮影オーダが優先されるように、検査情報管理テーブルの撮影オーダの撮影順序が変更される。
【００７９】
続いて、ステップＳ２０５において、Ｘ線撮影制御部１１１のＣＰＵ２０１は、ステップＳ２０４で変更した撮影順序に基づいて、モニタ１１２に表示している撮影画面の更新処理を行い、操作者に撮影順序を示す。即ち、Ｘ線撮影制御部１１１のＣＰＵ２０１は、ステップＳ２０４で撮影オーダの撮影順序が変更された検査情報をモニタ１１２に表示する（表示ステップ）。
【００８０】
以上の図１０に示すステップＳ２０１〜ステップＳ２０５の処理を経ることで、図９のステップＳ１１０の処理がなされ、その後、図９のステップＳ１１１に進む。
【００８１】
その後、図９のステップＳ１１１に進み、操作者により、撮影画面の撮影方法ボタン表示欄５１０に表示された撮影順序で撮影方法ボタンが選択されると、Ｘ線撮影制御部１１１のＣＰＵ２０１は、当該撮影方法ボタンに基づく患者１０００の撮影処理を行う。なお、本例では、モニタ１１２に表示された撮影方法ボタン表示欄５１０の撮影方法ボタンを操作者が操作することによって撮影処理を行うようにしているが、例えば、モニタ１１２に表示した情報に基づいて自動で撮影処理を行う形態であっても適用可能である。即ち、Ｘ線撮影制御部１１１のＣＰＵ２０１は、モニタ１１２に表示された検査情報に基づき複数のＸ線撮影ユニットを用いて被写体である患者１０００の撮影処理を行う（撮影処理ステップ）。そして、Ｘ線撮影制御部１１１のＣＰＵ２０１は、各撮影オーダにおける撮影処理が終了すると、検査情報管理テーブルの撮影状況を撮影済とする更新処理を行う。
【００８２】
続いて、ステップＳ１１２において、Ｘ線撮影制御部１１１のＣＰＵ２０１は、検査情報管理テーブルの撮影状況の情報に基づいて、当該患者１０００における検査が終了したか否かを判断する。
【００８３】
ステップＳ１１２の判断の結果、当該患者１０００における検査が終了していない場合には、ステップＳ１０３に戻る。一方、ステップＳ１１２の判断の結果、当該患者１０００における検査が終了した場合には、ステップＳ１１３に進む。
【００８４】
ステップＳ１１３に進むと、Ｘ線撮影制御部１１１のＣＰＵ２０１は、検査情報管理テーブル（図３）の撮影状況の情報に基づいて、未実施の検査があるか否かを判断する。この判断の結果、未実施の検査がある場合には、ステップＳ１０２に戻り、当該未実施の検査が行われる。
【００８５】
一方、ステップＳ１１３の判断の結果、未実施の検査がない場合（即ち、全ての検査を行った場合）には、Ｘ線撮影制御部１１１のＣＰＵ２０１は、例えばその旨を撮影画面のメッセージ表示欄５０２にメッセージとして表示する。その後、操作者により、撮影画面の検査終了ボタン５０８が押下されると、Ｘ線撮影制御部１１１のＣＰＵ２０１は、検査の終了処理を行う。
【００８６】
本実施形態におけるＸ線撮影方法を用いて、図３の検査情報管理テーブルに示された３人の患者１０００の検査を上の患者から順に実施すると、図１１に示す検査情報管理テーブルに示された撮影順序で検査が行われる。即ち、検査内では、同一のＸ線撮影ユニット（本実施形態では、カセッテ１１６）を使用する撮影が連続するように撮影順序が変更され、ステータスの変更回数、つまり、カセッテ１１６の交換回数が最小となる撮影順序で検査が実施される。また、検査の切替え後の検査開始時には、直前の検査終了時のステータスに応じて撮影順序が変更されるため、接続されているＸ線撮影ユニット（カセッテ１１６）を使用する撮影が優先され、検査間でカセッテ１１６を切替える機会（回数）を減らすことができる。これにより、操作者の負担を軽減することができる。
【００８７】
なお、本実施形態では、Ｘ線撮影装置１１０をネットワーク１２０に接続し、ＲＩＳ１３０より実施する検査情報を取得する例を用いたが、この形態に限定されるものではない。例えば、ネットワーク１２０と接続不可能な回診先で、緊急に検査を実施することも想定され、この場合には、Ｘ線撮影装置１１０に対して直接検査情報を入力する形態も適用可能である。
【００８８】
本実施形態によれば、複数のＸ線撮影ユニットを用いたＸ線撮影において、Ｘ線撮影システムの現在のステータスに基づき、撮影可能な状態のＸ線撮影ユニットを優先するように撮影オーダの撮影順序を変更するようにしている。これにより、複数の検査にまたがって放射線撮影を行う際に、時間と手間を要する放射線撮影ユニットの切替え回数を減らして、操作者の負荷を軽減させた効率的な検査を実施することができる。
【００８９】
（第２の実施形態）
次に、本発明の第２の実施形態について説明する。
図１２は、本発明の第２の実施形態に係るＸ線撮影システム（放射線撮影システム）２００の概略構成の一例を示す模式図である。図１２に示すＸ線撮影システム２００は、一般撮影室において行われる立位及び臥位の撮影姿勢におけるカセッテ撮影のシステムである。この図１２では、図１に示す第１の実施形態に係るＸ線撮影システム１００と同様の構成については、同じ符号を付している。以下、第１の実施形態のＸ線撮影システム１００と異なる点について説明を行う。
【００９０】
第２の実施形態におけるＸ線撮影装置２１０では、２つのＸ線発生部１１４−Ａ及びＸ線発生部１１４−Ｂが設けられている。また、第２の実施形態におけるＸ線撮影装置２１０では、１つのカセッテ２１６を用いてＸ線撮影を行う。また、第２の実施形態におけるＸ線撮影装置２１０では、コネクタ１１８に替えて、装着ユニット２１８−Ａ及び２１８−Ｂが設けられている。
【００９１】
撮影姿勢が立位の撮影では、立位撮影台及びＸ線発生部１１４−Ａを用いる。また、撮影姿勢が臥位の撮影では、臥位撮影台及びＸ線発生部１１４−Ｂを用いる。立位撮影台及び臥位撮影台には、それぞれ、カセッテ２１６を装着する装着部である装着ユニット２１８−Ａ及び２１８−Ｂが設けられている。本実施形態では、それぞれの装着ユニット２１８−Ａ及び２１８−Ｂにカセッテ２１６を装着することによって、１つのカセッテ２１６で立位及び臥位の両方の撮影姿勢による撮影が可能である。
【００９２】
第２の実施形態では、カセッテ２１６と、各装着ユニット２１８とを含む構成をＸ線撮影ユニット（放射線撮影ユニット）と称する。即ち、図１２のＸ線撮影システム２００では、カセッテ２１６と装着ユニット２１８−Ａとを含むＸ線撮影ユニットと、カセッテ２１６と装着ユニット２１８−Ｂとを含むＸ線撮影ユニットの２つが構成され得る。なお、図１２に示す例では、２つのＸ線撮影ユニットが構成され得る例を示しているが、更に他の装着ユニットを用意して３つ以上の複数のＸ線撮影ユニットを構成する態様も本実施形態に適用可能である。
【００９３】
さらに、装着ユニット２１８−Ａ及び２１８−Ｂは、カセッテ２１６が装着されたことを認識（検知）するセンサ（不図示）を備えており、Ｘ線撮影制御部１１１と、カセッテ２１６の装着情報を通信する機能を持っている。Ｘ線撮影制御部１１１は、装着ユニット２１８からカセッテ２１６の装着情報の通知を受け取ることによって、カセッテ２１６がどの装着ユニット２１８に装着されているのかを認識（検知）することができるようになっている。また、カセッテ２１６とＸ線撮影制御部１１１とは、着脱できないデータケーブル１１７でつながっている。第２の実施形態では、カセッテ２１６が装着された装着ユニット２１８の情報（当該装着ユニット２１８からのカセッテの情報）をＸ線撮影システム２００のステータスとして保持する。
【００９４】
以下、一般撮影室での検査を例に、Ｘ線撮影装置２１０の動作について説明する。
【００９５】
第１の実施形態と同様に、Ｘ線撮影制御部１１１は、ネットワーク１２０を介してＲＩＳ１３０から検査の検査情報を取得する。この検査情報には、検査ＩＤ、患者ＩＤ、撮影部位、撮影姿勢、撮影方向、撮影サイズ、解像度等の情報が含まれる。即ち、この検査情報には、第１の実施形態における検査情報に加えて、撮影姿勢の情報が含まれている。そして、Ｘ線撮影制御部１１１は、これらの情報（検査情報）の内容に基づいて、適切な１つのＸ線撮影ユニットを撮影オーダに対応づけ、検査情報管理テーブルとして例えば外部メモリ２０４に保存する。
【００９６】
図１３は、本発明の第２の実施形態を示し、図１２に示すＸ線撮影装置（放射線撮影装置）２１０で取得した検査情報に基づく検査情報管理テーブルの一例を示す模式図である。この検査情報管理テーブルには、撮影オーダごとに、検査ＩＤ、患者ＩＤ、撮影部位、撮影姿勢、撮影方向、撮影サイズ、解像度等の検査情報、撮影オーダに対応づけられたＸ線撮影ユニットの情報、及び、撮影状況の情報が示されている。
【００９７】
具体的に、図１３に示す例では、検査情報のうちの撮影姿勢の情報を考慮して、撮影オーダごとに、Ｘ線撮影ユニットを対応させた例が示されている。より詳細に、図１３に示す例では、撮影姿勢が立位である場合には、Ｘ線撮影ユニットとして、立位の装着ユニット２１８−Ａに係るユニットが設定されている。また、撮影姿勢が臥位である場合には、Ｘ線撮影ユニットとして、臥位の装着ユニット２１８−Ｂに係るユニットが設定されている。また、図１３に示す検査情報管理テーブルでは、現時点では、各撮影オーダにおける撮影が行われていないため、撮影状況の情報が未撮影となっている。
【００９８】
このように、第２の実施形態では、取得する検査情報の撮影オーダには、立位及び臥位の撮影姿勢における撮影オーダがある。本実施形態では、同一のカセッテ２１６を複数の装着ユニット２１８に装着するため、直前の撮影と異なる撮影姿勢の撮影オーダを撮影する場合には、Ｘ線撮影ユニットを切替える必要がある。このＸ線撮影ユニットの切替えには、カセッテ２１６の取り外し及び取り付け作業が発生する。
【００９９】
ここで、１人目の患者１０００の検査開始時には、カセッテ２１６は、どの装着ユニット２１８にも装着されていなかったとする。この場合、Ｘ線撮影制御部１１１は、カセッテ２１６がどの装着ユニット２１８にも装着されていないことを認識している。
【０１００】
操作者は、まず、例えば臥位の撮影から始めるために、カセッテ２１６を臥位の装着ユニット２１８−Ｂに取り付ける。この場合、臥位の装着ユニット２１８−Ｂは、カセッテ２１６が装着されたことを検知して、Ｘ線撮影制御部１１１へ通知する。そして、Ｘ線撮影制御部１１１は、臥位の装着ユニット２１８−Ｂからカセッテ２１６の装着の通知を受けると、ステータスを更新する。
【０１０１】
ステータスを更新すると、Ｘ線撮影制御部１１１は、検査情報管理テーブルから、現在のステータス（即ち、現在のＸ線撮影ユニット（装着ユニット２１８））で撮影可能な未撮影オーダを検索する。そして、Ｘ線撮影制御部１１１は、該当する未撮影オーダを、検査情報管理テーブルの未撮影オーダの先頭へと繰り上げて、撮影順序の変更を行う。以上の処理を終えると、Ｘ線撮影制御部１１１は、変更した撮影順序に従って、モニタ１１２の撮影画面の撮影方法ボタン表示欄５１０における表示を更新し、撮影可能状態へと遷移する。
【０１０２】
操作者により、撮影画面の撮影方法ボタン表示欄５１０に表示された撮影順序で撮影方法ボタンが選択されると、Ｘ線撮影制御部１１１は、指示された撮影順序で、臥位のＸ線撮影ユニットを用いた撮影処理を行う。そして、臥位の撮影処理が終了すると、立位の撮影に移る。この場合、Ｘ線撮影制御部１１１は、その旨をモニタ１１２に表示する。
【０１０３】
その後、操作者により、臥位の装着ユニット２１８−Ｂからカセッテ２１６が取り外されると、装着ユニット２１８−Ｂはこれを検知し、Ｘ線撮影制御部１１１へ通知する。Ｘ線撮影制御部１１１は、装着ユニット２１８−Ｂからカセッテ２１６が取り外された旨の通知を受けると、ステータスを更新する。
【０１０４】
続いて、操作者により、立位の装着ユニット２１８−Ａにカセッテ２１６が取り付けられると、臥位の装着ユニット２１８−Ｂに装着したときと同様に、Ｘ線撮影制御部１１１は、Ｘ線撮影システム２００のステータスを更新する。そして、Ｘ線撮影制御部１１１は、臥位の装着ユニット２１８−Ｂに装着したときと同様に、現在のステータスに従って、撮影姿勢が立位の未撮影オーダが優先される撮影順序変更処理を行い、撮影可能状態へ遷移する。
【０１０５】
そして、全ての撮影姿勢における撮影がすると、当該患者１０００の検査を終了する。この際に撮影されたＸ線画像（撮影画像）は、必要に応じて、Ｘ線撮影制御部１１１からＰＡＣＳ１４０へ転送される。
【０１０６】
次に、２人目の患者１０００の検査に移る。２人目の患者１０００の検査開始時には、１人目の患者１０００の検査終了時のステータスが保持されているため、立位のＸ線撮影ユニットが予め有効な状態である。２人目の患者１０００の検査が開始されると、Ｘ線撮影制御部１１１は、現在のステータス（即ち、立位のＸ線撮影ユニット）に基づいて、立位のＸ線撮影ユニットでの撮影オーダを優先する、検査情報管理テーブルの撮影順序変更処理を行う。そして、Ｘ線撮影制御部１１１は、変更した撮影順序に従って、モニタ１１２の撮影画面の撮影方法ボタン表示欄５１０における表示を更新し、撮影可能状態へと遷移する。
【０１０７】
そして、操作者が、撮影画面の撮影方法ボタン表示欄５１０に表示された撮影順序で撮影方法ボタンを選択して、検査を実施することにより、Ｘ線撮影ユニットの切替えの必要がないカセッテ撮影から撮影を開始することができる。
【０１０８】
本実施形態におけるＸ線撮影方法を用いて、図１３の検査情報管理テーブルに示された検査を実施すると、図１４に示す検査情報管理テーブルに示された撮影順序で検査が行われる。即ち、検査内では、同一のＸ線撮影ユニット（本実施形態では、装着ユニット２１８）を使用する撮影が連続するように撮影順序が変更され、他の装着ユニット２１８へのカセッテ２１６の装着回数が最小となる撮影順序で検査が実施される。また、検査の切替え後の検査開始時には、直前の検査終了時のステータスに応じて撮影順序が変更されるため、カセッテ２１６が装着されている装着ユニット２１８での撮影が優先され、検査間でカセッテ２１６を装着し直す機会（回数）を減らすことができる。これにより、操作者の負担を軽減することができる。
【０１０９】
なお、本実施形態では、装着ユニットにおいてカセッテ２１６の装着を認識する例を用いたが、例えばカセッテ２１６がどの装着ユニット２１８に装着されたのかを認識して、Ｘ線撮影制御部１１１に伝える形態であってもよい。
【０１１０】
（第３の実施形態）
次に、本発明の第３の実施形態について説明する。
図１５は、本発明の第３の実施形態に係るＸ線撮影システム（放射線撮影システム）３００の概略構成の一例を示す模式図である。この図１５では、図１２に示す第２の実施形態に係るＸ線撮影システム２００（或いは、図１に示す第１の実施形態に係るＸ線撮影システム１００）と同様の構成については、同じ符号を付している。以下、第２の実施形態のＸ線撮影システム１００と異なる点について説明を行う。
【０１１１】
第３の実施形態におけるＸ線撮影装置３１０では、第１の実施形態と同様に、１つのＸ線発生部１１４を用いる。また、第３の実施形態におけるＸ線撮影装置３１０では、１つのカセッテ２１６及び装着ユニット２１８−Ａ、２１８−Ｂに替えて、２つのカセッテ２１６−Ａ及び２１６−Ｂを用いてＸ線撮影を行う。
【０１１２】
第３の実施形態では、各カセッテ１１６と、Ｘ線発生部１１４とを含む構成をＸ線撮影ユニット（放射線撮影ユニット）と称する。即ち、図１５のＸ線撮影システム３００では、カセッテ２１６−ＡとＸ線発生部１１４とを含む立位のＸ線撮影ユニットと、カセッテ２１６−ＢとＸ線発生部１１４とを含む臥位のＸ線撮影ユニットが構成され得る。なお、図１５に示す例では、２つのＸ線撮影ユニットが構成され得る例を示しているが、更に他のカセッテを用意して３つ以上の複数のＸ線撮影ユニットを構成する態様も本実施形態に適用可能である。
【０１１３】
第３の実施形態では、それぞれ、カセッテ２１６−Ａと立位撮影台、カセッテ２１６−Ｂと臥位撮影台が一体化された据置型のＸ線撮影システムである。また、このＸ線撮影システム３００では、撮影室に、１つのＸ線発生部１１４しか設置されていない。従って、立位のＸ線撮影ユニット及び臥位のＸ線撮影ユニットによるＸ線撮影の切替え時には、Ｘ線発生部１１４のＸ線照射による撮影条件の設定をやり直す必要がある。
【０１１４】
この複数のＸ線撮影ユニットによるＸ線撮影の切替えに伴うＸ線発生部１１４の撮影条件の設定は、Ｘ線発生部１１４の移動及びＸ線の照射方向の調整、さらに照射野領域の設定が必要である。第３の実施形態では、カセッテ２１６−Ａ及び２１６−Ｂ、並びに、Ｘ線発生部１１４の情報をステータスとして保持する。
【０１１５】
この際、Ｘ線発生部１１４の情報は、Ｘ線発生部１１４が立位のＸ線撮影ユニットにおけるカセッテ２１６−Ａと臥位のＸ線撮影ユニットにおけるカセッテ２１６−Ｂのどちらのカセッテ２１６と対応付けられているかを示すものである。本実施形態においては、Ｘ線発生部１１４には、Ｘ線管球がどちらのＸ線撮影ユニットに向けられているのかを検知するセンサ（不図示）が設けられており、この情報がＸ線発生制御部１１５へと通知される。他の構成要素は、第２の実施形態と同じであるので説明を省略する。
【０１１６】
第２の実施形態と同様に、Ｘ線撮影制御部１１１は、ネットワーク１２０を介してＲＩＳ１３０から検査の検査情報を取得する。一人目の患者１０００の検査を開始すると、Ｘ線撮影制御部１１１は、ステータスを取得する。そして、Ｘ線発生部１１４が臥位のカセッテ２１６−Ｂと対応関係にある場合、Ｘ線撮影制御部１１１は、第２の実施形態と同様の方法により、臥位のＸ線撮影ユニットを使用する撮影オーダを優先するように検査情報管理テーブルの撮影順序を変更する。そして、操作者は、当該患者１０００の整位及びＸ線発生部１１４の微調整を行い、撮影画面上の撮影方法ボタン表示欄５１０で指示された撮影順序で撮影を実施する。
【０１１７】
臥位の撮影を全て終えると、撮影方法ボタン表示欄５１０の撮影方法ボタンが押下されていない状態となり、Ｘ線撮影制御部１１１は、「Ｘ線管球（Ｘ線発生部）を立位のＸ線撮影ユニットへ向けてください。」のようなメッセージをモニタ１１２に表示する。
【０１１８】
そして、操作者がモニタ１１２に表示したメッセージに従い、Ｘ線発生部１１４を立位のカセッテ２１６−Ａへ向けると、Ｘ線撮影制御部１１１は、Ｘ線発生制御部１１５からＸ線発生部１１４が移動したことを通知される。そして、Ｘ線撮影制御部１１１は、Ｘ線発生部１１４が立位のカセッテ２１６−Ａと対応づけられたことを認識（検知）し、ステータスを更新する。そして、Ｘ線撮影制御部１１１は、臥位のＸ線撮影ユニットの場合と同様に、現在のステータスに従って、立位のＸ線撮影ユニットによる撮影オーダが優先されるように撮影順序変更処理を施して、撮影可能状態へ遷移する。
【０１１９】
そして、全ての撮影姿勢における撮影がすると、当該患者１０００の検査を終了する。
【０１２０】
続いて、２人目の患者１０００の検査を開始する。
２人目の患者１０００の検査が開始されると、Ｘ線撮影制御部１１１は、現在のステータスを参照し、Ｘ線発生部１１４が立位のカセッテ２１６−Ａと対応付けられているため、立位のＸ線撮影ユニットで撮影する撮影オーダを優先した撮影順序変更処理を行う。
【０１２１】
従って、この場合、立位のカセッテ２１６−Ａに向けられていたＸ線発生部１１４を臥位のカセッテ２１６−Ｂに向け直すような操作は必要なく、Ｘ線発生部１１４の位置及び絞りの微調整だけで撮影をすることができる撮影オーダから検査を開始できる。
【０１２２】
本実施形態におけるＸ線撮影方法を用いて、第２の実施形態と同様に、図１３の検査情報管理テーブルに示された検査を実施すると、第２の実施形態と同じく、図１４に示す検査情報管理テーブルに示された撮影順序で検査が行われる。この場合、検査内では、同一のＸ線撮影ユニットを使用する撮影が連続するように撮影順序が変更され、他のＸ線撮影ユニットへのＸ線発生部１１４の操作回数が最小となる撮影順序で検査が実施される。また、検査の切替え後の検査開始時には、現在、Ｘ線発生部１１４が対応付けられているカセッテ２１６を使用する撮影が優先され、検査間で、Ｘ線発生部１１４の照射設定に係る操作をし直す機会（回数）を減らすことができる。これにより、操作者の負担を軽減することができる。
【０１２３】
（本発明の他の実施形態）
前述した本発明の各実施形態に係るＸ線撮影装置（放射線撮影装置）を構成する各手段、並びに、Ｘ線撮影装置の制御方法を示す図９及び図１０に示す各ステップは、コンピュータのＣＰＵがＲＯＭなどに記憶されたプログラムを実行することによって実現できる。このプログラム及び前記プログラムを記録したコンピュータ読み取り可能な記録媒体は本発明に含まれる。
【０１２４】
また、本発明は、例えば、システム、装置、方法、プログラム若しくは記憶媒体等としての実施形態も可能であり、具体的には、複数の機器から構成されるシステムに適用してもよいし、また、１つの機器からなる装置に適用してもよい。
【０１２５】
なお、本発明は、前述した実施形態の機能を実現するソフトウェアのプログラム（実施形態では図９及び図１０に示すフローチャートに対応したプログラム）を、システム或いは装置に直接、或いは遠隔から供給するものを含む。そして、そのシステム或いは装置のコンピュータが前記供給されたプログラムコードを読み出して実行することによっても達成される場合も本発明に含まれる。
【０１２６】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【０１２７】
その場合、プログラムの機能を有していれば、オブジェクトコード、インタプリタにより実行されるプログラム、ＯＳに供給するスクリプトデータ等の形態であってもよい。
【０１２８】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷなどがある。また、磁気テープ、不揮発性のメモリカード、ＲＯＭ、ＤＶＤ（ＤＶＤ−ＲＯＭ，ＤＶＤ−Ｒ）などもある。
【０１２９】
その他、プログラムの供給方法としては、クライアントコンピュータのブラウザを用いてインターネットのホームページに接続する。そして、前記ホームページから本発明のコンピュータプログラムそのもの、若しくは圧縮され自動インストール機能を含むファイルをハードディスク等の記録媒体にダウンロードすることによっても供給できる。
【０１３０】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【０１３１】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、ダウンロードした鍵情報を使用することにより暗号化されたプログラムを実行してコンピュータにインストールさせて実現することも可能である。
【０１３２】
また、コンピュータが、読み出したプログラムを実行することによって、前述した実施形態の機能が実現される。その他、そのプログラムの指示に基づき、コンピュータ上で稼動しているＯＳなどが、実際の処理の一部又は全部を行い、その処理によっても前述した実施形態の機能が実現され得る。
【０１３３】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部又は全部を行い、その処理によっても前述した実施形態の機能が実現される。
【０１３４】
なお、前述した各実施形態は、何れも本発明を実施するにあたっての具体化の例を示したものに過ぎず、これらによって本発明の技術的範囲が限定的に解釈されてはならないものである。即ち、本発明はその技術思想、又はその主要な特徴から逸脱することなく、様々な形で実施することができる。
【図面の簡単な説明】
【０１３５】
【図１】本発明の第１の実施形態に係るＸ線撮影システム（放射線撮影システム）の概略構成の一例を示す模式図である。
【図２】本発明の第１の実施形態を示し、図１に示すＸ線撮影制御部（放射線撮影制御部）の内部のハードウェア構成の一例を示す模式図である。
【図３】本発明の第１の実施形態を示し、図１に示すＸ線撮影装置（放射線撮影装置）で取得した検査情報に基づく検査情報管理テーブルの一例を示す模式図である。
【図４】本発明の第１の実施形態を示し、図１に示すモニタに検査を行う際に表示される検査選択画面の一例を示す模式図である。
【図５】本発明の第１の実施形態を示し、図１に示すモニタに表示される検査中の撮影画面の一例を示す模式図である。
【図６】本発明の第１の実施形態を示し、撮影順序が変更された検査情報管理テーブルの一例を示す模式図である。
【図７】本発明の第１の実施形態を示し、図５に示す撮影画面の更新後の一例を示す模式図である。
【図８】本発明の第１の実施形態を示し、変更された検査情報管理テーブルの一例を示す模式図である。
【図９】本発明の第１の実施形態に係るＸ線撮影システム（放射線撮影システム）によるＸ線撮影方法の処理手順の一例を示すフローチャートである。
【図１０】本発明の第１の実施形態を示し、図９に示すステップＳ１１０の詳細な処理手順の一例を示すフローチャートである。
【図１１】本発明の第１の実施形態を示し、撮影順序が変更された検査情報管理テーブルの一例を示す模式図である。
【図１２】本発明の第２の実施形態に係るＸ線撮影システム（放射線撮影システム）の概略構成の一例を示す模式図である。
【図１３】本発明の第２の実施形態を示し、図１２に示すＸ線撮影装置（放射線撮影装置）で取得した検査情報に基づく検査情報管理テーブルの一例を示す模式図である。
【図１４】本発明の第２の実施形態を示し、撮影順序が変更された検査情報管理テーブルの一例を示す模式図である。
【図１５】本発明の第３の実施形態に係るＸ線撮影システム（放射線撮影システム）の概略構成の一例を示す模式図である。
【符号の説明】
【０１３６】
１００  Ｘ線撮影システム（放射線撮影システム）
１１０  Ｘ線撮影装置（放射線撮影装置）
１１１  Ｘ線撮影制御部（放射線撮影制御部）
１１２  モニタ
１１３  キーボード
１１４  Ｘ線発生部（放射線発生部）
１１５  Ｘ線発生制御部（放射線発生制御部）
１１６−Ａ、１１６−Ｂ  カセッテ
１１７  データケーブル
１１８  コネクタ
１１９  ネットワークソケット
１２０  ネットワーク
１３０  ＲＩＳ（放射線部門内情報システム）
１４０  ＰＡＣＳ（画像サーバ）
１５０  ＨＩＳ（院内情報システム）
【図１】
2010110433.tif 000003
【図２】
2010110433.tif 000004
【図３】
2010110433.tif 000005
【図４】
2010110433.tif 000006
【図５】
2010110433.tif 000007
【図６】
2010110433.tif 000008
【図７】
2010110433.tif 000009
【図８】
2010110433.tif 000010
【図９】
2010110433.tif 000011
【図１０】
2010110433.tif 000012
【図１１】
2010110433.tif 000013
【図１２】
2010110433.tif 000014
【図１３】
2010110433.tif 000015
【図１４】
2010110433.tif 000016
【図１５】
2010110433.tif 000017